(57)【特許請求の範囲】
【請求項１】
入力されたプリントデータと該プリントデータと異なる種類のデータとが混在するデータとを出力する出力システムにおいて、
入力されたデータが、プリントデータと該プリントデータと異なる種類のデータとが混在するデータからのプリントデータであるか、外部システムからインターフェースを介して入力されるプリントデータであるか、を判断する判断手段と、
前記判断手段で入力されたデータが外部システムからのプリントデータであると判断されると前記プリントデータを保存する記憶保持部Aと、
前記判断手段で入力されたデータがプリントデータと該プリントデータと異なる種類のデータとが混在するデータからのプリントデータであると判断されると前記プリントデータを保存する記憶保持部Bと、
プリントデータを出力するプリント出力手段と、
を有することを特徴とする出力システム。
【請求項２】
入力されたプリントデータと該プリントデータと異なる種類のデータとが混在するデータとを出力する出力システムにおいて、
入力されたデータが、プリントデータと該プリントデータと異なる種類のデータとが混在するデータからのプリントデータであるか、外部システムからインターフェースを介して入力されるプリントデータであるか、を判断する判断手段と、
前記判断手段で入力されたデータが外部システムからのプリントデータであると判断されると前記プリントデータを保存する記憶保持部Aと、
前記記憶保持部Aに保存されたプリントデータをプリント出力情報に変換するプリント出力情報変換手段Aと、
前記判断手段で入力されたデータがプリントデータと該プリントデータと異なる種類のデータとが混在するデータからのプリントデータであると判断されると前記プリントデータを保存する記憶保持部Bと、
前記記憶保持部Bに保存されたプリントデータをプリント出力情報に変換するプリント出力情報変換手段Bと、
前記プリント出力情報変換手段A及びプリント出力情報変換手段Bにより変換されたプリントデータを出力するプリント出力手段と、
を有することを特徴とする出力システム。
【請求項３】
入力されたプリントデータと該プリントデータと異なる種類のデータとが混在するデータとを出力する出力システムにおいて、
入力されたデータが、プリントデータと該プリントデータと異なる種類のデータとが混在するデータからのプリントデータであるか、コンピュータからインターフェースを介して入力されるプリントデータであるか、を判断する判断手段と、
前記判断手段で入力されたデータがコンピュータからのプリントデータであると判断されると前記プリントデータを保存する記憶保持部Aと、
前記判断手段で入力されたデータがプリントデータと該プリントデータと異なる種類のデータとが混在するデータからのプリントデータであると判断されると前記プリントデータを保存する記憶保持部Bと、
プリントデータを出力するプリント出力手段と、
を有することを特徴とする出力システム。
【請求項４】
入力されたプリントデータと該プリントデータと異なる種類のデータとが混在するデータとを出力する出力システムにおいて、
入力されたデータが、プリントデータと該プリントデータと異なる種類のデータとが混在するデータからのプリントデータであるか、コンピュータからインターフェースを介して入力されるプリントデータであるか、を判断する判断手段と、
前記判断手段で入力されたデータがコンピュータからのプリントデータであると判断されると前記プリントデータを保存する記憶保持部Aと、
前記記憶保持部Aに保存されたプリントデータをプリント出力情報に変換するプリント出力情報変換手段Aと、
前記判断手段で入力されたデータがプリントデータと該プリントデータと異なる種類のデータとが混在するデータからのプリントデータであると判断されると前記プリントデータを保存する記憶保持部Bと、
前記記憶保持部Bに保存されたプリントデータをプリント出力情報に変換するプリント出力情報変換手段Bと、
前記プリント出力情報変換手段A及びプリント出力情報変換手段Bにより変換されたプリントデータを出力するプリント出力手段と、
を有することを特徴とする出力システム。
【請求項５】
前記記憶保持部Aと前記記憶保持部Bは同一であることを特徴とする請求項１乃至４のいずれかに記載の出力システム。
【請求項６】
前記プリントデータと該プリントデータと異なる種類のデータとが混在するデータは、該プリントデータに対応するＩＤを含むプリントデータ、及び該ＩＤを含む映像または音声データであることを特徴とする請求項１乃至５のいずれかに記載の出力システム。
【請求項７】
前記判断手段は前記プリントデータに対応するＩＤの有無により行うことを特徴とする請求項１乃至６のいずれかに記載の出力システム。
【請求項８】
前記記憶保持部Bは、プリントデータに対応するＩＤを含むプリントデータをＩＤ番号毎に管理し記憶することを特徴とする請求項６乃至７のいずれかに記載の出力システム。
【請求項９】
前記プリントデータに対応するＩＤを含むプリントデータは、圧縮されていることを特徴とする請求項６乃至８のいずれかに記載の出力システム。
【請求項１０】
入力されたプリントデータと該プリントデータと異なる種類のデータとが混在するデータとを出力する出力装置において、
入力されたデータが、プリントデータと該プリントデータと異なる種類のデータとが混在するデータからのプリントデータであるか、外部装置からインターフェースを介して入力されるプリントデータであるか、を判断する判断手段と、
前記判断手段で入力されたデータが外部装置からのプリントデータであると判断されると前記プリントデータを保存する記憶保持部Aと、
前記判断手段で入力されたデータがプリントデータと該プリントデータと異なる種類のデータとが混在するデータからのプリントデータであると判断されると前記プリントデータを保存する記憶保持部Bと、
プリントデータを出力するプリント出力手段と、
を有することを特徴とする出力装置。
【請求項１１】
入力されたプリントデータと該プリントデータと異なる種類のデータとが混在するデータとを出力する出力装置において、
入力されたデータが、プリントデータと該プリントデータと異なる種類のデータとが混在するデータからのプリントデータであるか、外部装置からインターフェースを介して入力されるプリントデータであるか、を判断する判断手段と、
前記判断手段で入力されたデータが外部装置からのプリントデータであると判断されると前記プリントデータを保存する記憶保持部Aと、
前記記憶保持部Aに保存されたプリントデータをプリント出力情報に変換するプリント出力情報変換手段Aと、
前記判断手段で入力されたデータがプリントデータと該プリントデータと異なる種類のデータとが混在するデータからのプリントデータであると判断されると前記プリントデータを保存する記憶保持部Bと、
前記記憶保持部Bに保存されたプリントデータをプリント出力情報に変換するプリント出力情報変換手段Bと、
前記プリント出力情報変換手段A及びプリント出力情報変換手段Bにより変換されたプリントデータを出力するプリント出力手段と、
を有することを特徴とする出力装置。
【請求項１２】
入力されたプリントデータと該プリントデータと異なる種類のデータとが混在するデータとを出力する出力装置において、
入力されたデータが、プリントデータと該プリントデータと異なる種類のデータとが混在するデータからのプリントデータであるか、コンピュータからインターフェースを介して入力されるプリントデータであるか、を判断する判断手段と、
前記判断手段で入力されたデータがコンピュータからのプリントデータであると判断されると前記プリントデータを保存する記憶保持部Aと、
前記判断手段で入力されたデータがプリントデータと該プリントデータと異なる種類のデータとが混在するデータからのプリントデータであると判断されると前記プリントデータを保存する記憶保持部Bと、
プリントデータを出力するプリント出力手段と、
を有することを特徴とする出力装置。
【請求項１３】
入力されたプリントデータと該プリントデータと異なる種類のデータとが混在するデータとを出力する出力装置において、
入力されたデータが、プリントデータと該プリントデータと異なる種類のデータとが混在するデータからのプリントデータであるか、コンピュータからインターフェースを介して入力されるプリントデータであるか、を判断する判断手段と、
前記判断手段で入力されたデータがコンピュータからのプリントデータであると判断されると前記プリントデータを保存する記憶保持部Aと、
前記記憶保持部Aに保存されたプリントデータをプリント出力情報に変換するプリント出力情報変換手段Aと、
前記判断手段で入力されたデータがプリントデータと該プリントデータと異なる種類のデータとが混在するデータからのプリントデータであると判断されると前記プリントデータを保存する記憶保持部Bと、
前記記憶保持部Bに保存されたプリントデータをプリント出力情報に変換するプリント出力情報変換手段Bと、
前記プリント出力情報変換手段A及びプリント出力情報変換手段Bにより変換されたプリントデータを出力するプリント出力手段と、
を有することを特徴とする出力装置。
【請求項１４】
前記記憶保持部Aと前記記憶保持部Bは同一であることを特徴とする請求項1０乃至１３のいずれかに記載の出力装置。
【請求項１５】
前記プリントデータと該プリントデータと異なる種類のデータとが混在するデータは、該プリントデータに対応するＩＤを含むプリントデータ、及び該ＩＤを含む映像または音声データであることを特徴とする請求項1０乃至１３のいずれかに記載の出力装置。
【請求項１６】
前記判断手段は前記プリントデータに対応するＩＤの有無により行うことを特徴とする請求項１０乃至１５のいずれかに記載の出力装置。
【請求項１７】
前記記憶保持部Bは、プリントデータに対応するＩＤを含むプリントデータをＩＤ番号毎に管理し記憶することを特徴とする請求項１５乃至１６のいずれかに記載の出力装置。
【請求項１８】
前記プリントデータに対応するＩＤを含むプリントデータは、圧縮されていることを特徴とする請求項１５乃至１７のいずれかに記載の出力装置。
【請求項１９】
入力されたプリントデータと該プリントデータと異なる種類のデータとが混在するデータとを出力する出力方法において、
入力されたデータが、プリントデータと該プリントデータと異なる種類のデータとが混在するデータからのプリントデータであるか、外部装置からインターフェースを介して入力されるプリントデータであるか、を判断する判断ステップと、
前記判断ステップで入力されたデータが外部装置からのプリントデータであると判断されると前記プリントデータを記憶保持部Aに記憶保持するステップと、
前記判断ステップで入力されたデータがプリントデータと該プリントデータと異なる種類のデータとが混在するデータからのプリントデータであると判断されると前記プリントデータを記憶保持部Bに記憶保持するステップと、
プリントデータを出力するプリント出力ステップと、
を有することを特徴とする出力方法。
【請求項２０】
入力されたプリントデータと該プリントデータと異なる種類のデータとが混在するデータとを出力する出力方法において、
入力されたデータが、プリントデータと該プリントデータと異なる種類のデータとが混在するデータからのプリントデータであるか、外部システムからインターフェースを介して入力されるプリントデータであるか、を判断する判断ステップと、
前記判断手段で入力されたデータが外部システムからのプリントデータであると判断されると前記プリントデータを記憶保持部Aに記憶保持するステップと、
前記記憶保持部Aに保存されたプリントデータをプリント出力情報変換手段Aでプリント出力情報に変換するステップと、
前記判断手段で入力されたデータがプリントデータと該プリントデータと異なる種類のデータとが混在するデータからのプリントデータであると判断されると前記プリントデータを記憶保持部Bに記憶保持するステップと、
前記記憶保持部Bに保存されたプリントデータをプリント出力情報変換手段Bでプリント出力情報に変換するステップと、
前記プリント出力情報変換手段A及びプリント出力情報変換手段Bにより変換されたプリントデータを出力するステップと、
を有することを特徴とする出力方法。
【請求項２１】
入力されたプリントデータと該プリントデータと異なる種類のデータとが混在するデータとを出力する出力方法において、
入力されたデータが、プリントデータと該プリントデータと異なる種類のデータとが混在するデータからのプリントデータであるか、コンピュータからインターフェースを介して入力されるプリントデータであるか、を判断する判断ステップと、
前記判断ステップで入力されたデータがコンピュータからのプリントデータであると判断されると前記プリントデータを記憶保持部Aに記憶保持するステップと、
前記判断ステップで入力されたデータがプリントデータと該プリントデータと異なる種類のデータとが混在するデータからのプリントデータであると判断されると前記プリントデータを記憶保持部Bに記憶保持するステップと、
プリントデータを出力するプリント出力ステップと、
を有することを特徴とする出力方法。
【請求項２２】
入力されたプリントデータと該プリントデータと異なる種類のデータとが混在するデータとを出力する出力方法において、
入力されたデータが、プリントデータと該プリントデータと異なる種類のデータとが混在するデータからのプリントデータであるか、コンピュータからインターフェースを介して入力されるプリントデータであるか、を判断する判断ステップと、
前記判断手段で入力されたデータがコンピュータからのプリントデータであると判断されると前記プリントデータを記憶保持部Aに記憶保持するステップと、
前記記憶保持部Aに保存されたプリントデータをプリント出力情報変換手段Aでプリント出力情報に変換するステップと、
前記判断手段で入力されたデータがプリントデータと該プリントデータと異なる種類のデータとが混在するデータからのプリントデータであると判断されると前記プリントデータを記憶保持部Bに記憶保持するステップと、
前記記憶保持部Bに保存されたプリントデータをプリント出力情報変換手段Bでプリント出力情報に変換するステップと、
前記プリント出力情報変換手段A及びプリント出力情報変換手段Bにより変換されたプリントデータを出力するステップと、
を有することを特徴とする出力方法。
【請求項２３】
前記記憶保持部Aと前記記憶保持部Bは同一であることを特徴とする請求項１９乃至２２のいずれかに記載の出力方法。
【請求項２４】
前記プリントデータと該プリントデータと異なる種類のデータとが混在するデータは、該プリントデータに対応するＩＤを含むプリントデータ、及び該ＩＤを含む映像または音声データであることを特徴とする請求項１９乃至２３のいずれかに記載の出力方法。
【請求項２５】
前記判断手段は前記プリントデータに対応するＩＤの有無により行うことを特徴とする請求項１９乃至２４のいずれかに記載の出力方法。
【請求項２６】
前記記憶保持部Bは、プリントデータに対応するＩＤを含むプリントデータをＩＤ番号毎に管理し記憶することを特徴とする請求項２４乃至２５のいずれかに記載の出力方法。
【請求項２７】
前記プリントデータに対応するＩＤを含むプリントデータは、圧縮されていることを特徴とする請求項２４乃至２６のいずれかに記載の出力方法。
【発明の詳細な説明】
【０００１】
【産業上の利用分野】
本発明は、入力されたプリンタデータに基づき出力する出力システム、出力装置、および出力方法に関する。
【０００２】
【従来の技術】
従来、一般にプリンタ等と呼ばれている記録装置においては、映像信号や記録信号を受けることにより、記録装置内部の記録部が、記録装置本体に装着した記録媒体上に、その記録信号や映像信号に基づいた画像情報を記録形成するという構成のものであった。
【０００３】
例えば、ビデオプリンタは、概略ディスプレイやテレビ画面に表示されている動画、もしくは静止画の１フレーム情報を、映像信号としてプリンタ本体に取り込み、記録信号に変換して、プリンタに装着している記録媒体上に記録するものである。また、コンピュータや電卓等の出力プリンタは、概略、コンピュータや電卓等からの情報を記録信号としてプリンタ本体に取り込み、プリンタに装着している記録媒体上に記録するものである。
【０００４】
【発明が解決しようとする課題】
しかしながら、上述のような従来の記録装置では、任意のタイミングで印刷を行うことができなかった。また、映像データ又は音声データの再生中に印刷を行うことは考えられていなかった。
【０００５】
本発明の目的は入力されたプリントデータと該プリントデータと異なる種類のデータとが混在するデータとをＩＤを入力したタイミングで出力を行なうことのできる出力システム、出力装置、および出力方法を提供することにある。
【０００６】
【課題を解決するための手段】
上記目的を達成するため、請求項１の発明は、入力されたプリントデータと該プリントデータと異なる種類のデータとが混在するデータとを出力する出力システムにおいて、入力されたデータが、プリントデータと該プリントデータと異なる種類のデータとが混在するデータからのプリントデータであるか、外部システムからインターフェースを介して入力されるプリントデータであるか、を判断する判断手段と、前記判断手段で入力されたデータが外部システムからのプリントデータであると判断されると前記プリントデータを保存する記憶保持部Ａと、前記判断手段で入力されたデータがプリントデータと該プリントデータと異なる種類のデータとが混在するデータからのプリントデータであると判断されると前記プリントデータを保存する記憶保持部Ｂと、プリントデータを出力するプリント出力手段と、を有することを特徴とする。
また、請求項２の発明は、入力されたプリントデータと該プリントデータと異なる種類のデータとが混在するデータとを出力する出力システムにおいて、入力されたデータが、プリントデータと該プリントデータと異なる種類のデータとが混在するデータからのプリントデータであるか、外部システムからインターフェースを介して入力されるプリントデータであるか、を判断する判断手段と、前記判断手段で入力されたデータが外部システムからのプリントデータであると判断されると前記プリントデータを保存する記憶保持部Ａと、前記記憶保持部Ａに保存されたプリントデータをプリント出力情報に変換するプリント出力情報変換手段Ａと、前記判断手段で入力されたデータがプリントデータと該プリントデータと異なる種類のデータとが混在するデータからのプリントデータであると判断されると前記プリントデータを保存する記憶保持部Ｂと、前記記憶保持部Ｂに保存されたプリントデータをプリント出力情報に変換するプリント出力情報変換手段Ｂと、前記プリント出力情報変換手段Ａ及びプリント出力情報変換手段Ｂにより変換されたプリントデータを出力するプリント出力手段と、を有することを特徴とする。
また、請求項３の発明は、入力されたプリントデータと該プリントデータと異なる種類のデータとが混在するデータとを出力する出力システムにおいて、入力されたデータが、プリントデータと該プリントデータと異なる種類のデータとが混在するデータからのプリントデータであるか、コンピュータからインターフェースを介して入力されるプリントデータであるか、を判断する判断手段と、前記判断手段で入力されたデータがコンピュータからのプリントデータであると判断されると前記プリントデータを保存する記憶保持部Ａと、前記判断手段で入力されたデータがプリントデータと該プリントデータと異なる種類のデータとが混在するデータからのプリントデータであると判断されると前記プリントデータを保存する記憶保持部Ｂと、プリントデータを出力するプリント出力手段と、を有することを特徴とする。
また、請求項４の発明は、入力されたプリントデータと該プリントデータと異なる種類のデータとが混在するデータとを出力する出力システムにおいて、入力されたデータが、プリントデータと該プリントデータと異なる種類のデータとが混在するデータからのプリントデータであるか、コンピュータからインターフェースを介して入力されるプリントデータであるか、を判断する判断手段と、前記判断手段で入力されたデータがコンピュータからのプリントデータであると判断されると前記プリントデータを保存する記憶保持部Ａと、前記記憶保持部Ａに保存されたプリントデータをプリント出力情報に変換するプリント出力情報変換手段Ａと、前記判断手段で入力されたデータがプリントデータと該プリントデータと異なる種類のデータとが混在するデータからのプリントデータであると判断されると前記プリントデータを保存する記憶保持部Ｂと、前記記憶保持部Ｂに保存されたプリントデータをプリント出力情報に変換するプリント出力情報変換手段Ｂと、前記プリント出力情報変換手段Ａ及びプリント出力情報変換手段Ｂにより変換されたプリントデータを出力するプリント出力手段と、を有することを特徴とする。
ここで、前記記憶保持部Ａと前記記憶保持部Ｂは同一であることを特徴とすることができる。
また、前記プリントデータと該プリントデータと異なる種類のデータとが混在するデータは、該プリントデータに対応するＩＤを含むプリントデータ、及び該ＩＤを含む映像または音声データであることを特徴とすることができる。
また、前記判断手段は前記プリントデータに対応するＩＤの有無により行うことを特徴とすることができる。
また、前記記憶保持部Ｂは、プリントデータに対応するＩＤを含むプリントデータをＩＤ番号毎に管理し記憶することを特徴とすることができる。
また、前記プリントデータに対応するＩＤを含むプリントデータは、圧縮されていることを特徴とすることができる。
【０００７】
上記目的を達成するため、請求項１０の発明は、入力されたプリントデータと該プリントデータと異なる種類のデータとが混在するデータとを出力する出力装置において、入力されたデータが、プリントデータと該プリントデータと異なる種類のデータとが混在するデータからのプリントデータであるか、外部装置からインターフェースを介して入力されるプリントデータであるか、を判断する判断手段と、前記判断手段で入力されたデータが外部装置からのプリントデータであると判断されると前記プリントデータを保存する記憶保持部Ａと、前記判断手段で入力されたデータがプリントデータと該プリントデータと異なる種類のデータとが混在するデータからのプリントデータであると判断されると前記プリントデータを保存する記憶保持部Ｂと、プリントデータを出力するプリント出力手段と、を有することを特徴とする。
また、請求項１１の発明は、入力されたプリントデータと該プリントデータと異なる種類のデータとが混在するデータとを出力する出力装置において、入力されたデータが、プリントデータと該プリントデータと異なる種類のデータとが混在するデータからのプリントデータであるか、外部装置からインターフェースを介して入力されるプリントデータであるか、を判断する判断手段と、前記判断手段で入力されたデータが外部装置からのプリントデータであると判断されると前記プリントデータを保存する記憶保持部Ａと、前記記憶保持部Ａに保存されたプリントデータをプリント出力情報に変換するプリント出力情報変換手段Ａと、前記判断手段で入力されたデータがプリントデータと該プリントデータと異なる種類のデータとが混在するデータからのプリントデータであると判断されると前記プリントデータを保存する記憶保持部Ｂと、前記記憶保持部Ｂに保存されたプリントデータをプリント出力情報に変換するプリント出力情報変換手段Ｂと、前記プリント出力情報変換手段Ａ及びプリント出力情報変換手段Ｂにより変換されたプリントデータを出力するプリント出力手段と、を有することを特徴とする。
また、請求項１２の発明は、入力されたプリントデータと該プリントデータと異なる種類のデータとが混在するデータとを出力する出力装置において、入力されたデータが、プリントデータと該プリントデータと異なる種類のデータとが混在するデータからのプリントデータであるか、コンピュータからインターフェースを介して入力されるプリントデータであるか、を判断する判断手段と、前記判断手段で入力されたデータがコンピュータからのプリントデータであると判断されると前記プリントデータを保存する記憶保持部Ａと、前記判断手段で入力されたデータがプリントデータと該プリントデータと異なる種類のデータとが混在するデータからのプリントデータであると判断されると前記プリントデータを保存する記憶保持部Ｂと、プリントデータを出力するプリント出力手段と、を有することを特徴とする。
また、請求項１３の発明は、入力されたプリントデータと該プリントデータと異なる種類のデータとが混在するデータとを出力する出力装置において、入力されたデータが、プリントデータと該プリントデータと異なる種類のデータとが混在するデータからのプリントデータであるか、コンピュータからインターフェースを介して入力されるプリントデータであるか、を判断する判断手段と、前記判断手段で入力されたデータがコンピュータからのプリントデータであると判断されると前記プリントデータを保存する記憶保持部Ａと、前記記憶保持部Ａに保存されたプリントデータをプリント出力情報に変換するプリント出力情報変換手段Ａと、前記判断手段で入力されたデータがプリントデータと該プリントデータと異なる種類のデータとが混在するデータからのプリントデータであると判断されると前記プリントデータを保存する記憶保持部Ｂと、前記記憶保持部Ｂに保存されたプリントデータをプリント出力情報に変換するプリント出力情報変換手段Ｂと、前記プリント出力情報変換手段Ａ及びプリント出力情報変換手段Ｂにより変換されたプリントデータを出力するプリント出力手段と、を有することを特徴とする。
【０００８】
上記目的を達成するため、請求項１９の発明は、入力されたプリントデータと該プリントデータと異なる種類のデータとが混在するデータとを出力する出力方法において、入力されたデータが、プリントデータと該プリントデータと異なる種類のデータとが混在するデータからのプリントデータであるか、外部装置からインターフェースを介して入力されるプリントデータであるか、を判断する判断ステップと、前記判断ステップで入力されたデータが外部装置からのプリントデータであると判断されると前記プリントデータを記憶保持部Ａに記憶保持するステップと、前記判断ステップで入力されたデータがプリントデータと該プリントデータと異なる種類のデータとが混在するデータからのプリントデータであると判断されると前記プリントデータを記憶保持部Ｂに記憶保持するステップと、プリントデータを出力するプリント出力ステップと、を有することを特徴とする。
また、請求項２０の発明は、入力されたプリントデータと該プリントデータと異なる種類のデータとが混在するデータとを出力する出力方法において、入力されたデータが、プリントデータと該プリントデータと異なる種類のデータとが混在するデータからのプリントデータであるか、外部システムからインターフェースを介して入力されるプリントデータであるか、を判断する判断ステップと、前記判断手段で入力されたデータが外部システムからのプリントデータであると判断されると前記プリントデータを記憶保持部Ａに記憶保持するステップと、前記記憶保持部Ａに保存されたプリントデータをプリント出力情報変換手段Ａでプリント出力情報に変換するステップと、前記判断手段で入力されたデータがプリントデータと該プリントデータと異なる種類のデータとが混在するデータからのプリントデータであると判断されると前記プリントデータを記憶保持部Ｂに記憶保持するステップと、前記記憶保持部Ｂに保存されたプリントデータをプリント出力情報変換手段Ｂでプリント出力情報に変換するステップと、前記プリント出力情報変換手段Ａ及びプリント出力情報変換手段Ｂにより変換されたプリントデータを出力するステップと、を有することを特徴とする。
また、請求項２１の発明は、入力されたプリントデータと該プリントデータと異なる種類のデータとが混在するデータとを出力する出力方法において、入力されたデータが、プリントデータと該プリントデータと異なる種類のデータとが混在するデータからのプリントデータであるか、コンピュータからインターフェースを介して入力されるプリントデータであるか、を判断する判断ステップと、前記判断ステップで入力されたデータがコンピュータからのプリントデータであると判断されると前記プリントデータを記憶保持部Ａに記憶保持するステップと、前記判断ステップで入力されたデータがプリントデータと該プリントデータと異なる種類のデータとが混在するデータからのプリントデータであると判断されると前記プリントデータを記憶保持部Ｂに記憶保持するステップと、プリントデータを出力するプリント出力ステップと、を有することを特徴とする。
また、請求項２２の発明は、入力されたプリントデータと該プリントデータと異なる種類のデータとが混在するデータとを出力する出力方法において、入力されたデータが、プリントデータと該プリントデータと異なる種類のデータとが混在するデータからのプリントデータであるか、コンピュータからインターフェースを介して入力されるプリントデータであるか、を判断する判断ステップと、前記判断手段で入力されたデータがコンピュータからのプリントデータであると判断されると前記プリントデータを記憶保持部Ａに記憶保持するステップと、前記記憶保持部Ａに保存されたプリントデータをプリント出力情報変換手段Ａでプリント出力情報に変換するステップと、前記判断手段で入力されたデータがプリントデータと該プリントデータと異なる種類のデータとが混在するデータからのプリントデータであると判断されると前記プリントデータを記憶保持部Ｂに記憶保持するステップと、前記記憶保持部Ｂに保存されたプリントデータをプリント出力情報変換手段Ｂでプリント出力情報に変換するステップと、前記プリント出力情報変換手段Ａ及びプリント出力情報変換手段Ｂにより変換されたプリントデータを出力するステップと、を有することを特徴とする。
【００１０】
【作用】
本発明では、上記構成により、ＩＤを入力したタイミングで印刷を行うことができる印刷装置及び方法を提供できる。
【００１１】
【実施例】
以下、図面を参照して本発明の実施例を詳細に説明する。
【００１２】
まず、最初に本発明を適用するに好適なレーザビームプリンタおよびインクジェットプリンタの構成について図１〜図３を参照しながら説明する。なお、本発明を適用するプリンタは、レーザビームプリンタおよびインクジェットプリンタに限られるものではなく、他のプリント方式のプリンタでも良いことは言うまでもない。
【００１３】
図１は本発明を適用可能な第１の出力装置の構成を示す断面図であり、例えばレーザビームプリンタ（ＬＢＰ）の場合を示す。
【００１４】
図１において、１５００はＬＢＰ本体であり、外部に接続されているホストコンピュータや、ビデオレコーダ等から供給される印刷情報（文字コード等）やフォーム情報あるいはマクロ命令等を入力して記憶するとともに、それらの情報に従って対応する文字パターンやフォームパターン等を作成し、記録媒体である記録紙などに像を形成する。１５０１は操作のためのスイッチおよびＬＥＤ表示器等が配されている操作パネル、１００はＬＢＰ本体１５００全体の制御およびホストコンピュータ等から供給される文字情報等を解析するプリンタ制御ユニットである。このプリンタ制御ユニット１０００は、主に文字情報を対応する文字パターンのビデオ信号に変換してレーザドライバ１５０２に出力する。レーザドライバ１５０２は半導体レーザ１５０３を駆動するための回路であり、入力されたビデオ信号に応じて半導体レーザ１５０３から発射されるレーザ光１５０４をオン・オフ切り換えする。
【００１５】
レーザ光１５０４は回転多面鏡１５０５で左右方向に振らされて静電ドラム１５０６上を走査露光する。これにより、静電ドラム１５０６上には文字パターンの静電潜像が形成されることになる。この潜像は、静電ドラム１５０６周囲に配設された現像ユニット１５０７により現像された後、記録紙に転写される。この記録紙にはカットシートを用い、カットシータ記録紙はＬＢＰ１５００に装着した用紙カセット１５０８に収納され、給紙ローラ１５０９および搬送ローラ１５１０と搬送ローラ１５１１とにより、装置内に取り込まれて、静電ドラム１５０６に供給される。また、ＬＢＰ本体１５００には、図示しないカードスロットを少なくとも１個以上備え、内蔵フォントに加えてオプションフォントカード、言語系の異なる制御カード（エミュレーションカード）に接続できるように構成されている。
【００１６】
図２は本発明を適用可能な第２の出力装置の外観構成を示す斜視図であり、例えばインクジェット記録装置（ＩＪＲＡ）の場合を示す。
【００１７】
図２において、駆動モータ５０１３の正逆回転に連動して駆動力伝達ギア５０１１，５００９を介して回転するリードスクリュー５００５の螺旋溝５００４に対して係合するキャリッジＨＣはピン（図示しない）を有し、矢印ａ，ｂ方向に往復移動される。このキャリッジＨＣには、インクジェットカートリッジＩＪＣが搭載されている。５００２は紙押え板であり、キャリッジ移動方向にわたって紙をプラテン５０００に対して押圧する。５００７，５００８はフォトカプラで、キャリッジのレバー５００６のこの域での存在を確認して、モータ５０１３の回転方向切り換え等を行うためのホームポジション検知手段として機能する。５０１６は記録ヘッドの全面をキャップするキャップ部材５０２２を支持する部材、５０１５はこのキャップ内を吸引する吸引手段でキャップ内開口５０２３を介して記録ヘッドの吸引回復を行う。５０１７はクリーニングブレードで、部材５０１９により前後方向に移動可能となる。５０１８は本体支持板で、上記５０１７，５０１９を支持する。５０１２は、吸引回復の吸引を開始するためのレバーで、キャリッジと係合するカム５０２０の移動に伴って移動し、駆動モータからの駆動力がクラッチ切り換え等の公知の伝達手段で移動制御される。
【００１８】
これらキャッピング，クリーニング，吸引回復は、キャリッジがホームポジション側領域にきたときにリードスクリュー５００５の作用によってそれらの対応位置で所望の処理が行えるように構成されているが、周知のタイミングで所望動作を行うように構成されていればよい。
【００１９】
図３は、図２に示した第２の出力装置の制御構成を説明するブロック図である。
【００２０】
図３において、１７００は記録信号や記録情報を入力するインターフェース、１７０１はＭＰＵ、１７０２は上記ＭＰＵ１７０１が実行する制御プログラムやホスト印刷情報等を格納するＲＯＭ、１７０３はＤＲＡＭ（ダイナミックＲＡＭ）で、各種データ（上記記録信号やヘッドに供給される記録データ等）を保存しておく。１７０４は記録ヘッド１７０８に対する出力データの供給制御を行うゲートアレイで、インターフェース１７００，ＭＰＵ１７０１，ＤＲＡＭ１７０３間のデータの転送制御も行う。１７１０は上記記録ヘッド１７０８を搬送するためのキャリアモータ、１７０９は記録用紙搬送のための搬送モータ、１７０５は上記記録ヘッドを駆動するヘッドドライバ、１７０６は上記搬送モータ１７０９を駆動するモータドライバ、１７０７は上記キャリアモータ１７１０を駆動するモータドライバである。
【００２１】
このように構成された上記記録装置において、インターフェース１７００を介して後述するホストコンピュータ１００やビデオレコーダー（図示せず）等により入力情報が入力されると、ゲートアレイ１７０４とＭＰＵ１７０１との間で入力情報がプリント用の出力情報に変換される。そして、モータドライバ１７０６，１７０７が駆動されるとともに、ヘッドドライバ１７０５に送られた出力情報に従って記録ヘッドが駆動され印字が実行される。
【００２２】
なお、ＭＰＵ１７０１はインターフェース１７００を介して後述するホストコンピュータ１００との通信処理が可能となっており、ＤＲＡＭ１７０３に関するメモリ情報および資源データ等やＲＯＭ１７０２内のホスト印刷情報を後述するホストコンピュータ１００に通知可能に構成されている。また、インターフェース１７００を介してビデオレコーダ（図示せず）に接続した場合には、ＤＲＡＭ１７０３に取り込まれた画像情報の画像処理を行うことが可能に構成されている。
【００２３】
図４は、本発明の一実施例の出力装置のプリンタ制御システムの構成を示すブロック図である。ここでは、インクジェットプリンタ（図２）を例にして説明する。
【００２４】
図４において、１５００はプリンタ本体である。コンピュータの出力部１１からの記録情報を双方向性インターフェース１２を介してプリンタ１５００の入力部３４に、またＡＶ（オーディオビジュアル）機器の出力部２１からの記録情報を一方向性インターフェース２２を介してプリンタ１５００の入力部３４に接続されている。３２はプリンタＣＰＵ（マイクロプロセッサ）で、グループ１５のＲＯＭ１４のプログラム用に記憶された制御プログラム等、またはグループ２５のＲＯＭ２４のプログラム用に記憶された制御プログラム等、あるいは外部メモリ３８に記憶された制御プログラム等に基づいてシステムバス３１に接続される各種のデバイスとのアクセスを総括的に制御し、印刷部インターフェース３５を介して接続される印刷部（プリンタエンジン）３７に出力情報としての画像信号を出力する。
【００２５】
グループ１５は従来のプリント出力を制御する制御部であり、ＲＯＭ１４のプログラムＲＯＭは、図５のフローチャートの（ｂ）で示されるようなＣＰＵ３２の制御プログラムなどを記憶する。フォント用ＲＯＭ３３には上記出力情報を生成する際に使用するフォントデータなどを記憶し、ＲＯＭ１４のデータ用ＲＯＭにはハードディスクなどの外部メモリ３８がないプリンタの場合には、コンピュータ上で利用される情報などを記憶している。
【００２６】
グループ２５は本発明の一実施例であるプリント出力を制御する制御部であり、ＲＯＭ２４のプログラムＲＯＭは、図５のフローチャートの（ａ）で示されるようなＣＰＵ３２の制御プログラムなどを記憶する。フォント用ＲＯＭ３３には上記出力情報を生成する際に使用するフォントデータなどを記憶し、ＲＯＭ２４のデータ用ＲＯＭにはハードディスクなどの外部メモリ３８がないプリンタの場合には、コンピュータ上で利用される情報などを記憶している。
【００２７】
ＣＰＵ３２は入力部３４を介してコンピュータとの信号処理が可能となっており、プリンタ内の情報などをコンピュータ（図示せず）に通知可能に構成されている。なお、ＲＡＭ−Ａ１３とＲＡＭ−Ｂ２３は、出力情報展開領域、環境データ格納領域、ＮＶＲＡＭ（不揮発性ＲＡＭ）等に用いられる。さらに、ＲＡＭ−Ｂ２３には、出力情報保持領域が設けられる。ハードディスクやＩＣメモリ等の外部メモリ３８は、メモリコントローラ（ＭＣ）３６によりアクセスを制御される。外部メモリ３８は、オプションとして接続され、フォントデータ、エミュレーションプログラム、フォームデータなどを記憶する。また、１５０１は操作パネルで操作のためのスイッチおよびＬＥＤ（発光ダイオード）表示器等が配されている。
【００２８】
また、前述した外部メモリは１個に限らず、少なくとも１個以上備え、内蔵フォントに加えてオプションフォントカード、言語系のことなるプリンタ制御言語を解釈するプログラムを格納した外部メモリを複数接続できるように構成されていても良い。さらに、図示しないＮＶＲＡＭを有し、操作パネル１５０１からのプリンタモード設定情報を記憶するようにしても良い。
【００２９】
この様に構成されたプリンタ制御システムにおいて、図５のフローチャートを参照しながら本発明実施例の概略的処理動作の流れを説明する。なお、Ｓ１，Ｓ２…は処理ステップの番号を表わす。コンピュータの出力部１１からの記録情報を双方向性インターフェース１２を介してプリンタ１５００の入力部３４に入力されたプリントデータは、ＣＰＵ３２によってこのデータの先頭データがデータ切り替え信号であるかを判断される（Ｓ１）。データ切り替え信号でない場合には、従来のプリント出力制御と同様の流れである（ｂ）にプリントデータは送られてプリント出力を得る（Ｓ９，Ｓ１０，Ｓ１１，Ｓ１２）。データ切り替え信号である場合には、本発明の一実施例のプリント出力の流れである（ａ）にプリントデータが送られる。
【００３０】
（ａ）の流れに送られたプリントデータは（Ｓ２）、圧縮されているプリントデータを解凍し（Ｓ３）、プリントデータＩＤ番号ごとに管理されてＲＡＭ−Ｂ２３に保存される（Ｓ４）。プリントデータＩＤ番号は、コンピュータ出力部１１もしくは操作部１５０１から入力され（Ｓ５）、ＣＰＵ３２によってその番号と対応するプリンタデータをＲＡＭ−Ｂ２３に保存してるプリントデータから検索する（Ｓ６，Ｓ７）。
【００３１】
検索されたプリントデータは、前述の制御流れに従ってプリント出力情報に変換され（Ｓ８）、印刷部３７に送られプリント出力を得る（Ｓ１２）。
【００３２】
またＡＶ機器の出力部２１からの記録情報を一方向性インターフェース２２を介してプリンタ１５００の入力部３４に入力されたプリントデータは、ＣＰＵ３２によってこのデータの先頭データがデータ切り替え信号であるかを判断されることなく、強制的に本発明の一実施例のプリント出力の流れである（ａ）にプリントデータが送られ、圧縮されているプリントデータを解凍し、プリントデータＩＤ番号ごとに管理されてＲＡＭ−Ｂ２３に保存される。プリントデータＩＤ番号は操作部１５０１から入力され、ＣＰＵ３２によってその番号と対応するプリンタデータをＲＡＭ−Ｂ２３に保存しているプリントデータから検索する。検索されたプリントデータは、前述の制御流れに従ってプリント出力情報に変換され印刷部３７に送られプリント出力を得る。この時、ＲＡＭ−Ｂ２３に保存されたプリントデータは、新たなデータが入力されないかぎりもしくは強制的に消去命令が入力されないかぎり保存され続ける。
【００３３】
図６は、本発明実施例の他の概略的流れを示す。図５と異なる点は、入力部３４から入力された圧縮されているプリントデータを（Ｓ２２）、圧縮したままプリントデータＩＤ番号ごとに管理してＲＡＭ−Ｂ２３に保存する（Ｓ２３）。プリントデータＩＤ番号をコンピュータ出力部１１もしくは操作部１５０１から入力し（Ｓ２４）、ＣＰＵ３２によってその番号と対応するプリンタデータをＲＡＭ−Ｂ２３に保存しているプリントデータから検索する（Ｓ２５，Ｓ２６）。
【００３４】
検索されたプリントデータは、解凍された後（Ｓ２７）、前述の制御流れに従ってプリント出力情報に変換され（Ｓ２８）、印刷部３７に送られプリント出力を得る（Ｓ３２）。この時、ＲＡＭ−Ｂ２３に保存されたプリントデータは、新たなデータが入力されないかぎりもしくは強制的に消去命令が入力されないかぎり保存され続ける。
（第１実施例）
図７は本発明の一実施例の詳細な処理手順を示す。ａ部はコンパクトディスクの情報構成を概略的に示す。音声データの先頭部にプリントデータが圧縮され、ＩＤ番号を付加されて収められている。ｂ部，ｃ部，ｄ部は、それぞれコンパクトディスクプレーヤー、本発明に係わるプリンタ、コンピュータのそれぞれの概略的流れを示す。
【００３５】
まず、ａ部において示したコンパクトディスクをｂ部のコンパクトディスクプレーヤーにセットする。コンパクトディスクプレーヤーをスタートさせると、コンパクトディスクが新たにセットされたことを確認し（Ｓ４１）、先頭部の圧縮プリントデータをｃ部のプリンタに転送する（Ｓ４３）。転送が終了した後（Ｓ４４）、音声データを読み取り（Ｓ４５）、アナログ信号に変換し（Ｓ４６）、スピーカーを通じて音声出力する（Ｓ４７）。この際に、先頭部に圧縮プリントデータがない場合には、すぐに音声データを読み取り開始し、アナログ信号に変換してスピーカーを通じ音声出力する。
【００３６】
また、コンパクトディスクがすでにセットされていた場合には（Ｓ４１）、プリントデータを新たにｃ部のプリンタに転送するかどうかの選択を行うことができる（Ｓ４２）。
【００３７】
ｃ部のプリンタは、入力されてきたプリントデータがｂ部のコンパクトディスクプレーヤーからか、それともｄ部のコンピュータからかを自ら判断する（Ｓ５１）。ｂ部のコンパクトディスクプレーヤーからのデータと判断した後は、圧縮されたプリントデータを解凍して（Ｓ５２，Ｓ５３）、記憶保持部に保存する（Ｓ５４）。次に、このコンパクトディスクの音声情報（音楽）を聞いている聴取者が、この音楽に関する情報、例えば音楽家のプロフィールや譜面等が欲しいとすると、予め指定されたプリントデータのＩＤ番号をｃ部のプリンタ本体の操作パネルから入力する（Ｓ５６）。プリンタ本体は、入力されたＩＤ番号をもとに記憶保持部内のプリントデータ群から検索し（Ｓ５７，Ｓ５８）、この検索したプリントデータをプリント出力情報に変換し（Ｓ５９）、プリント出力する（Ｓ６３）。聴取者はこれによりオーディオ機器で聞いている音声情報とは異なるプリント情報を得ることができる。
【００３８】
一方、コンピュータからのデータと判断した後は、入力プリントデータを記憶保持部に保存し（Ｓ６０，Ｓ６１）、このプリントデータをプリント出力情報に変換し（Ｓ６２）、プリント出力する（Ｓ６３）。
（第２実施例）
図８は本発明の第２実施例の処理手順を示す。ａ部はレーザーディスクの情報構成を概略的に示す。映像／音声データの先頭部にプリントデータが圧縮され、ＩＤ番号を付加されて収められている。ｂ部，ｃ部，ｄ部は、それぞれレーザーディスクプレーヤー、本発明に係るプリンタ，コンピュータのそれぞれの概略的流れを示す。
【００３９】
まず、ａ部において示したレーザーディスクをｂ部のレーザーディスクプレーヤーにセットする。レーザーディスクプレーヤーをスタートさせると、レーザーディスクが新たにセットされたことを確認し（Ｓ７１）、先頭部の圧縮プリントデータをｃ部のプリンタに転送する（Ｓ７３）。転送が終了した後（Ｓ７４）、映像／音声データを読み取りビデオ信号に変換し（Ｓ７５，Ｓ７６）、テレビ等を通じて映像，音声出力する（Ｓ７７）。この際に、先頭部に圧縮プリントデータがない場合には、すぐに映像／音声データを読み取り開始し、ビデオ信号に変換してテレビ等を通じ映像／音声出力する。また、レーザーディスクがすでにセットされていた場合には、プリントデータを新たにｃ部のプリンタに転送するかどうかの選択を行うことができる（Ｓ７２）。
【００４０】
ｃ部のプリンタは、入力されてきたプリントデータがｂ部のレーザーディスクプレーヤーからか、それともｄ部のコンピュータからかを自ら判断する（Ｓ８１）。ｂ部のレーザーディスクプレーヤーからのデータと判断した後は、圧縮されたプリントデータを記憶保持部に保存する（Ｓ８２，Ｓ８３）。次にこのレーザーディスクの映像を見ている視聴者が、この映像に関する情報、例えば俳優のプロフィールや撮影場所の情報、脚本等が欲しいとすると、予め指定されたプリントデータのＩＤ番号をｃ部のプリンタ本体の操作パネルから入力する（Ｓ８４）。プリンタ本体は、入力されたＩＤ番号をもとに記憶保持部内のプリントデータ群から検索し（Ｓ８５，Ｓ８６）、この検索したプリントデータを解凍した後（Ｓ８７）、プリント出力情報に変換し（Ｓ８８）、プリント出力する（Ｓ９３）。聴取者がこれによりテレビ等で見ている映像情報とは異なるプリント情報を得ることができる。
【００４１】
一方、コンピュータからのデータと判断した後は、入力プリントデータを記憶保持部に保存し（Ｓ９０，Ｓ９１）、このプリントデータをプリント出力情報に変換し（Ｓ９２）、プリント出力する（Ｓ９３）。
（第３実施例）
図９は本発明の第３実施例の処理手順を示す。ａ部はＣＤ−ＲＯＭの情報構成を概略的に示す。映像／音声データの先頭部にプリントデータが圧縮され、ＩＤ番号を付加されて収められている。ｂ部，ｃ部，ｄ部は、それぞれコンピュータに接続されたＣＤ−ＲＯＭドライブ装置、本発明に係るプリンタ、このＣＤ−ＲＯＭドライブ装置を接続しているコンピュータのそれぞれの概略的流れを示す。
【００４２】
まず、ａ部において示したＣＤ−ＲＯＭをｂ部のＣＤ−ＲＯＭドライブ装置にセットする。ＣＤ−ＲＯＭドライブ装置をスタートさせると、ｃ部のプリンタがｄ部のコンピュータに接続されかつ電源がＯＮになっていることを確認し（Ｓ１０１）、先頭部の圧縮プリントデータをｄ部のコンピュータを介してｃ部のプリンタに転送する。この転送が終了した後、映像／音声データを読み取りｄ部のコンピュータに転送する（Ｓ１０３，Ｓ１３０，Ｓ１３１）。この際に、先頭部に圧縮プリントデータがない場合には、すぐに映像／音声データを読み取り開始し、ｄ部のコンピュータに転送する。
【００４３】
ｃ部のプリンタは入力されてきたプリントデータがｂ部のＣＤ−ＲＯＭドライブ装置からコンピュータを介してきたデータなのか、それともｄ部のコンピュータ自身からのデータなのかを自ら判断する（Ｓ１１１）。ｂ部のＣＤ−ＲＯＭドライブ装置からのデータと判断した後は、圧縮されたプリントデータを記憶保持部に保存する（Ｓ１１２，Ｓ１１３）。次に、このＣＤ−ＲＯＭからの映像／音声データをコンピュータ上で制御もしくは加工しながら楽しむ、例えばゲーム等を行っている人が、このゲーム等に関する情報、例えばゲームのマニュアル等が欲しいとすると、予め指定されたプリントデータのＩＤ番号をｃ部のプリンタ本体の操作パネルからもしくはｄ部のコンピュータから入力する（Ｓ１０５〜Ｓ１０９，Ｓ１１４）。または、ＤＣ−ＲＯＭから強制的にプリントデータのＩＤ番号を映像／音声データに割り込ませて、コンピュータを介してｃ部のプリンタ本体に入力する。プリンタ本体は、入力されたＩＤ番号をもとに記憶保持部内のプリントデータ群から検索し（Ｓ１１５，Ｓ１１６）、この検索したプリントデータを解凍した後（Ｓ１１７）、プリント出力情報に変換し（Ｓ１１８）、プリント出力する（Ｓ１２２）。コンピュータ上で作業している人は、これによりコンピュータ画面上に映し出された画像情報とは異なるプリント情報を得ることができる。
（その他）
なお、プリントデータを供給するメディアは、本発明を実施できるものであれば上述したコンパクトディスク，レーザーディスク，ＣＤ−ＲＯＭにかぎることはない。また、これらメディアを駆動する装置とプリンタ，コンピュータとの接続関係も、本発明を実施できるものであれば上述した例にかぎることはない。
【００４４】
【発明の効果】
以上説明したように、本発明によれば、ＩＤを入力したタイミングで印刷を行うことができる印刷装置及び方法を提供できる。
【図面の簡単な説明】
【図１】本発明を適用可能な第１の出力装置（レーザビームプリンタ）の構成を示す断面図である。
【図２】本発明を適用可能な第２の出力装置（インクジェットプリンタ）の構成を示す斜視図である。
【図３】図２に示した第２の出力装置の制御系の構成を示すブロック図である。
【図４】本発明の一実施例を示すプリンタ制御システムの構成を示すブロック図である。
【図５】本発明の一実施例のプリンタ制御システムの概略的動作手順の流れを示すフローチャートである。
【図６】本発明の一実施例の他のプリンタ制御システムの概略的動作手順の流れを示すフローチャートである。
【図７】本発明の一実施例のシステム構成における処理手順を示すフローチャートである。
【図８】本発明の一実施例の他のシステム構成における処理手順を示すフローチャートである。
【図９】本発明の一実施例のさらに他のシステム構成における処理手順を示すフローチャートである。
【符号の説明】
１１  コンピュータ入力部
１２  双方向性インターフェース
１３  ＲＡＭ
１４  ＲＯＭ
１５  制御部
２１  ＡＶ機器入力部
２２  一方向性インターフェース
２３  ＲＡＭ
２４  ＲＯＭ
２５  制御部
３１  システムデバイス
３２  ＣＰＵ
３３  ＲＯＭ
３４  入力部
３５  印刷部インターフェース
３６  メモリコントローラ
３７  印刷部
３８  外部メモリ
１５００  プリンタ
１５０１  操作部
１５０２  レーザドライバ
１５０３  半導体レーザ
１５０４  レーザ光
１５０５  回転多面鏡
１５０６  静電ドラム
１５０７  現像ユニット
１５０８  用紙カセット
１５０９  給紙ローラ
１５１０  搬送ローラ
１５１１  搬送ローラ
１７００  インターフェース
１７０１  ＭＰＵ
１７０２  ＲＯＭ
１７０３  ＤＲＡＭ
１７０４  ゲートアレイ
１７０５  ヘッドドライバ
１７０６  モータドライバ
１７０７  モータドライバ
１７０８  記録ヘッド
１７０９  搬送モータ
１７１０  キャリアモータ
５０００  プラテン
５００２  紙押え板
５００３  キャリッジ支え棒
５００４  らせん棒
５００５  リードスクリュー
５００６  レバー
５００７  フォトカプラ
５００８  フォトカプラ
５００９  駆動力伝達ギア
５０１０  駆動力伝達ギア
５０１１  駆動力伝達ギア
５０１３  モータ
５０１５  吸引手段
５０１６  キャップ支持部
５０１７  クリーニングプレート
５０１８  プリンタ本体支持板
５０１９  部材
５０２０  カム
５０２１  レバー
【図１】
0003625425.tif 000002
【図２】
0003625425.tif 000003
【図３】
0003625425.tif 000004
【図４】
0003625425.tif 000005
【図５】
0003625425.tif 000006
【図６】
0003625425.tif 000007
【図７】
0003625425.tif 000008
【図８】
0003625425.tif 000009
【図９】
0003625425.tif 000010